(57)【要約】      （修正有）【課題】２つ以上のメータアセンブリに対して一つのメータ電子機器を提供し、コストを減じる。【解決手段】メータ電子機器１００は、プロセッサ１１０と、プロセッサに通信可能に連結された１つ以上の信号プロセッサ１２０を備え、１つ以上の信号プロセッサは第１のメータアセンブリ１０ａと第２のメータアセンブリ１０ｂに通信可能に連結されるように構成される。また、メータ電子機器において、１つ以上の信号プロセッサは、第１のメータアセンブリから第１の信号１２ａを受信し、第２のメータアセンブリから第２のセンサ信号１２ｂを受信するように構成している。更に、メータ電子機器において、１つ以上の信号プロセッサは、第１のセンサ信号及び第２のセンサ信号をデジタル化するように構成している。【選択図】図３
2020126078.tif 000002
【特許請求の範囲】
【請求項１】
２つ以上のメータアセンブリ(10a、10b)用のメータ電子機器(100)であって、
プロセッサ(110)と、
該プロセッサ(110)に通信可能に連結された１つ以上の信号プロセッサ(120)を備え、
該１つ以上の信号プロセッサ(120)は第１のメータアセンブリ(10a)と第２のメータアセンブリ(10b)に通信可能に連結されるように構成された、メータ電子機器(100)。
【請求項２】
前記１つ以上の信号プロセッサ(120)は、第１のメータアセンブリ(10a)から第１のセンサ信号(12a)を受信し、第２のメータアセンブリ(10b)から第２のセンサ信号(12b)を受信
するように構成された、請求項１に記載のメータ電子機器(100)。
【請求項３】
前記１つ以上の信号プロセッサ(120)は更に、第１のセンサ信号(12a)及び第２のセンサ信号(12b)をデジタル化するように構成された、請求項２に記載のメータ電子機器(100)。
【請求項４】
前記１つ以上の信号プロセッサ(120)は更に、第１のメータアセンブリ(10a)に第１の駆動信号(14a)を供給し、第２のメータアセンブリ(10b)に第２の駆動信号(14b)を供給する
ように構成された、請求項１乃至３の何れかに記載のメータ電子機器(100)。
【請求項５】
更に、前記プロセッサ(110)に通信可能に連結された通信ポート(140)を備え、該通信ポート(140)はホストと通信可能に連結された、請求項１乃至４の何れかに記載のメータ電
子機器(100)。
【請求項６】
前記１つ以上の信号プロセッサ(120)は、第１の通信チャネル(112a)を介して第１のセ
ンサ信号(12a)を受信し、第２の通信チャネル(112b)を介して第２のセンサ信号(12b)を受信するように構成された、請求項１乃至５の何れかに記載のメータ電子機器(100)。
【請求項７】
第１のセンサ信号(12a)は、第１のメータアセンブリ(10a)内の左ピックオフセンサ(17al、17bl)及び右ピックオフセンサ(17ar、17br)からの信号から構成され、第２のセンサ信号(12b)は、第２のメータアセンブリ(10b)内の左ピックオフセンサ(17al、17bl)及び右ピックオフセンサ(17ar、17br)からの信号から構成される、請求項１乃至６の何れかに記載のメータ電子機器(100)。
【請求項８】
更に、前記プロセッサ(110)に通信可能に連結された少なくとも１つのメモリ(130)を備えた、請求項１乃至７の何れかに記載のメータ電子機器(100)。
【請求項９】
２つ以上のメータアセンブリを作動する方法であって、
第１のメータアセンブリによって供給される第１のセンサ信号を供給するステップと、
第２のメータアセンブリによって供給される第２のセンサ信号を供給するステップと、
メータ電子機器で第１のセンサ信号と第２のセンサ信号を受信するステップを備える、方法。
【請求項１０】
更に、第１の駆動信号を第１のメータアセンブリに供給するステップと、
第２の駆動信号を第２のメータアセンブリに供給するステップとを備え、
第１の駆動信号と第２の駆動信号はメータ電子機器によって供給される、請求項９に記載の方法。
【請求項１１】
更に、少なくとも１つの信号プロセッサで、第１のセンサ信号及び第２のセンサ信号をデジタル化するステップを備える、請求項９又は１０に記載の方法。
【請求項１２】
第１のセンサ信号は第１の通信チャネルを介してメータ電子機器に供給され、第２のセンサ信号は第２の通信チャネルを介してメータ電子機器に供給される、請求項９乃至１１の何れかに記載の方法。
【請求項１３】
第１のセンサ信号は、第１のメータアセンブリ内の左ピックオフセンサ及び右ピックオフセンサからの信号から構成され、第２のセンサ信号は、第２のメータアセンブリ内の左ピックオフセンサ及び右ピックオフセンサからの信号から構成される、請求項９乃至１２の何れかに記載の方法。
【請求項１４】
２つ以上のメータアセンブリ用のメータ電子機器(100)を備えたシステム(5)であって、
第１のメータアセンブリ(10a)と、
第２のメータアセンブリ(10b)と、
前記第１のメータアセンブリ(10a)と第２のメータアセンブリ(10b)とに通信可能に結合されたメータ電子機器(100)を備える、システム(5)。
【請求項１５】
前記第１のメータアセンブリ(10a)は、供給ライン(SL)内の流体の特性及び特徴の１つ
を測定するように構成され、前記第２のメータアセンブリ(10b)は、戻りライン(RL)内の
流体の特性及び特徴の１つを測定するように構成された、請求項１４に記載のシステム(5)。
【発明の詳細な説明】
【技術分野】
【０００１】
以下に記載される実施形態は、メータ電子機器に関し、より詳細には、２つ以上のメータアセンブリ用のメータ電子機器に関する。
【背景技術】
【０００２】
例えば、振動式デンシトメータやコリオリ式流量計などの振動センサが一般に知られており、またこれらは、流量計の導管を流れる物質に関する質量流量及びその他の情報を測定するために使用されている。例示的なコリオリ式流量計については、米国特許第4109524号明細書、米国特許第4491025号明細書、米国再発行特許第31450号に開示されている。
これらの流量計は、直線形状もしくは湾曲形状の１つ以上の導管を備えるメータアセンブリを有する。たとえば、コリオリ式質量流量計の導管構成はそれぞれ、単純な屈曲、ねじり、又は結合タイプであり得る一連の自然振動モードを有する。各導管が好ましいモードで振動するように、これらを駆動することができる。流量計を通過する流れがないとき、導管に加えられる駆動力により、導管に沿ったすべての点は同じ位相で、又はゼロ流動において測定される時間遅延である小さな「ゼロオフセット」で振動される。
【０００３】
物質が導管を流れ始めると、コリオリの力により、導管に沿った各点が異なる位相を有するようになる。たとえば、流量計の入口端部の位相は中央のドライバ位置の位相よりも遅れている一方で、出口の位相は中央のドライバ位置の位相よりも先行している。導管のピックオフが、導管の動きを表す正弦波信号を生成する。ピックオフから出力される信号は、ピックオフ間の時間遅延を判定するために処理される。２つ以上のピックオフ間の時間遅延は、導管を流れる物質の質量流量に比例している。
【０００４】
ドライバに接続されたメータ電子機器が、ドライバを作動させ、かつピックオフより受信する信号からプロセス物質の質量流量及び／又は他の特性をも判定するための駆動信号を生成する。ドライバは多くの周知の構成の1つを備えていてもよいが、しかしながら磁
石及び対向する駆動コイルが流量計業界においては大きな成功を収めている。所望の導管振幅及び周波数で導管を振動させるために、交流電流が駆動コイルに通される。このドライバの構成に非常に類似した磁石及びコイルの構成としてピックオフを提供することも、当該技術分野においては知られている。
【０００５】
様々な設計制約があるために、多くのシステムでは２つ以上のメータアセンブリを使用している。たとえば、液体天然ガス（LNG）をLNG車両に供給するのに使用されるメータアセンブリでは、LNG貯蔵タンクからLNG車両へと圧送される燃料を測定するために、第１のメータアセンブリを使用してもよい。LNGタンクに戻される燃料を測定するために、第２
のメータアセンブリを使用してもよい。LNGタンクに戻される燃料は、異なる流量、温度
、及び状態などを有する可能性がある。しかし、各メータアセンブリは１つのメータ電子機器を有する。メータ電子機器の数を減らすことは、２つ以上のメータアセンブリを必要とするシステムのコスト及び複雑さを低減することができる。従って、２つ以上のメータアセンブリ用のメータ電子機器に対するニーズがある。
【発明の概要】
【０００６】
２つ以上のメータアセンブリ用のメータ電子機器が提供される。実施形態に従って、メータ電子機器は、プロセッサと、該プロセッサに通信可能に連結された１つ以上の信号プロセッサを備えている。該１つ以上の信号プロセッサは第１のメータアセンブリと第２のメータアセンブリに通信可能に連結されるように構成されている。
【０００７】
２つ以上のメータアセンブリを作動させる方法が提供される。実施形態に従って、方法は第１のメータアセンブリによって供給される第１のセンサ信号を供給するステップと、
第２のメータアセンブリによって供給される第２のセンサ信号を供給するステップと、メータ電子機器で第１のセンサ信号と第２のセンサ信号を受信するステップを備える。
【０００８】
２つ以上のメータアセンブリ用のメータ電子機器を備えたシステムが提供される。実施形態に従って、システムは第１のメータアセンブリと、第２のメータアセンブリと、第１のメータアセンブリと第２のメータアセンブリとに通信可能に結合されたメータ電子機器を備えている。
【０００９】
態様
一態様に従って、２つ以上のメータアセンブリ(10a、10b)用のメータ電子機器(100)は
、プロセッサ(110)と、該プロセッサ(110)に通信可能に連結された１つ以上の信号プロセッサ(120)を備え、該１つ以上の信号プロセッサ(120)は第１のメータアセンブリ(10a)と
第２のメータアセンブリ(10b)に通信可能に連結されるように構成されている。
【００１０】
好ましくは、前記１つ以上の信号プロセッサ(120)は、第１のメータアセンブリ(10a)から第１のセンサ信号(12a)を受信し、第２のメータアセンブリ(10b)から第２のセンサ信号(12b)を受信するように構成されている。
好ましくは、前記１つ以上の信号プロセッサ(120)は更に、第１のセンサ信号(12a)及び第２のセンサ信号(12b)をデジタル化するように構成されている。
好ましくは、前記１つ以上の信号プロセッサ(120)は更に、第１のメータアセンブリ(10a)に第１の駆動信号(14a)を供給し、第２のメータアセンブリ(10b)に第２の駆動信号(14b)を供給するように構成されている。
【００１１】
好ましくは、メータ電子機器(100)は更に、前記プロセッサ(110)に通信可能に連結された通信ポート(140)を備え、該通信ポート(140)はホストと通信可能に連結されている。
好ましくは、前記１つ以上の信号プロセッサ(120)は、第１の通信チャネル(112a)を介
して第１のセンサ信号(12a)を受信し、第２の通信チャネル(112b)を介して第２のセンサ
信号(12b)を受信するように構成されている。
好ましくは、第１のセンサ信号(12a)は、第１のメータアセンブリ(10a)内の左ピックオフセンサ(17al、17bl)及び右ピックオフセンサ(17ar、17br)からの信号から構成され、第２のセンサ信号(12b)は、第２のメータアセンブリ(10b)内の左ピックオフセンサ(17al、17bl)及び右ピックオフセンサ(17ar、17br)からの信号から構成される。
好ましくは、メータ電子機器(100)は更に前記プロセッサ(110)に通信可能に連結された少なくとも１つのメモリ(130)を備えている。
【００１２】
一態様に従って、２つ以上のメータアセンブリを作動する方法は、第１のメータアセンブリによって供給される第１のセンサ信号を供給するステップと、第２のメータアセンブリによって供給される第２のセンサ信号を供給するステップと、メータ電子機器で第１のセンサ信号と第２のセンサ信号を受信するステップを備える。
【００１３】
好ましくは、方法は更に、第１の駆動信号を第１のメータアセンブリに供給するステップと、第２の駆動信号を第２のメータアセンブリに供給するステップとを備え、第１の駆動信号と第２の駆動信号はメータ電子機器によって供給される。
好ましくは、方法は更に、少なくとも１つの信号プロセッサで、第１のセンサ信号及び第２のセンサ信号をデジタル化するステップを備える。
好ましくは、第１のセンサ信号は第１の通信チャネルを介してメータ電子機器に供給され、第２のセンサ信号は第２の通信チャネルを介してメータ電子機器に供給される。
好ましくは、第１のセンサ信号は、第１のメータアセンブリ内の左ピックオフセンサ及
び右ピックオフセンサからの信号から構成され、第２のセンサ信号は、第２のメータアセンブリ内の左ピックオフセンサ及び右ピックオフセンサからの信号から構成される。
【００１４】
一態様に従って、２つ以上のメータアセンブリ用のメータ電子機器(100)を備えたシス
テム(5)は、第１のメータアセンブリ(10a)と、第２のメータアセンブリ(10b)と、前記第
１のメータアセンブリ(10a)と第２のメータアセンブリ(10b)とに通信可能に結合されたメータ電子機器(100)を備える。
【００１５】
好ましくは、前記第１のメータアセンブリ(10a)は、供給ライン(SL)内の流体の特性及
び特徴の１つを測定するように構成され、前記第２のメータアセンブリ(10b)は、戻りラ
イン(RL)内の流体の特性及び特徴の１つを測定するように構成される。
【図面の簡単な説明】
【００１６】
同じ符号は全ての図面上の同じ要素を表す。図面は必ずしも縮尺通りでないことは理解されるだろう。
【図１】２以上のメータアセンブリ用のメータ電子機器100を含む二重の振動式センサシステム5を示す。
【図２】２以上のメータアセンブリ用のメータ電子機器100を含む二重の振動式センサシステム5を示す。
【図３】メータ電子機器100のブロック図を示す。
【図４】２以上の振動式センサ用のメータ電子機器を作動する方法400を示す。
【発明を実施するための形態】
【００１７】
図１〜図４及び以下の説明は特定の実施例を記載して、２以上のメータアセンブリ用のメータ電子機器の実施形態における最良の形態を創出かつ使用する方法を当業者に教示する。本発明の原理を教示することを目的として、いくつかの従来の態様を簡略化又は省略している。当業者は、これらの実施例の変形例が本明細書の範囲内にあることを理解する。当業者であれば、以下に説明する特徴を様々な方法で組み合わせて、２以上のメータアセンブリ用のメータ電子機器の複数の変形例を形成できることを理解する。結果として、以下に説明する実施形態は後述する特定の実施例に限定されるものではなく、特許請求の範囲及びその均等物によってのみ限定される。
【００１８】
２つ以上の振動式センサ用のメータ電子機器は、２つ以上のメータアセンブリと通信するように構成される。メータ電子機器は、１つまたは複数の信号プロセッサに通信可能に結合されたプロセッサを含む。１つまたは複数の信号プロセッサは、第１のメータアセンブリ及び第２のメータアセンブリに通信可能に結合するように構成される。メータ電子機器は、第１の通信チャネルを介して第１のメータアセンブリに通信可能に結合され、第２の通信チャネルを介して第２のメータアセンブリに通信可能に結合される。第１及び第２の通信チャネルは、センサ信号、駆動信号、温度信号、及び/又は他の信号を通信するよ
うに構成される。従って、２つ以上のメータアセンブリを制御するために、１つだけのメータ電子機器が使用され、２つのメータ電子機器を使用することに関連するコストを低減することができる。
【００１９】
図１は、２以上のメータアセンブリ用のメータ電子機器100を含む二重の振動式センサ
システム5を示す。図１に示すように、二重の振動式センサシステム5は第１の振動式センサ5a及び第２の振動式センサ5bを備える。第１及び第２の振動式センサ5a、5bは、メータ電子機器100ならびに第１及び第２のメータアセンブリ10a、10bで夫々構成されている。
【００２０】
メータ電子機器100は、第１及び第２の一組のリード線11a、11bを介して、第１及び第
２のメータアセンブリ10a、10bに通信可能に結合されている。第1及び第2の一組のリード
線11a、11bは、メータ電子機器100の第1及び第2の通信ポート27a、27bに結合されている
（たとえば、装着又は取り付けられているなど）。第1及び第2の一組のリード線11a、11bはまた、第1及び第2のメータアセンブリ10a、10b上の第1及び第2の通信ポート7a、7bを介して、第1及び第2のメータアセンブリ10a、10bに結合されている。メータ電子機器100は
、経路26を介してホストに情報を提供するように構成されている。第1及び第2のメータアセンブリ10a、10bを、流管を包囲するケースと共に示している。メータ電子機器100なら
びに第1及び第2のメータアセンブリ10a、10bについては、図２及び図３を参照しながら以下により詳細に説明する。
【００２１】
引き続き図１を参照すると、第１及び第２の振動式センサ5a、5bを、たとえば供給ラインSL及び戻りラインRLの流量差及び／又は総流量を計算するために使用することができる。より具体的には、流体がタンクから液体状態で供給され、その後タンクに気体状態で戻されるような低温用途に二重の振動式センサシステム5を採用してもよい。1つの例示的な低温用途において、第1のメータアセンブリ10aは、LNGをLNGディスペンサLDに供給する供給ラインSLの一部であってもよく、また第２のメータアセンブリ10bは、LNGディスペンサLDからの戻りラインRLの一部であってもよい。第２のメータアセンブリ10bを流れる総流
量を第１のメータアセンブリ10aを流れる総流量から引いて、LNG車両に供給されるLNGの
総量を決定することができる。二重の振動式センサシステム5を他の用途に採用できるこ
とを示すために、供給ラインSL及び戻りラインRLを備えるこの例示的な用途について破線で示している。更に水素などの他の低温流体を使用してもよい。ここでも理解できるように、記載した実施形態及び他の実施形態においてはメータ電子機器100によって計算を実
行でき、以下でこれについてより詳細に説明する。
【００２２】
図２は、２以上のメータアセンブリ用のメータ電子機器100を含む二重の振動式センサ
システム5を示す。図２に示すように、二重の振動式センサシステム5は、図1を参照しな
がら説明した第1の振動式センサ5a及び第２の振動式センサ5bを備える。分かり易くする
ために、メータ電子機器100ならびに第1及び第2のメータアセンブリ10a、10b上のケース
を示していない。第1及び第2のメータアセンブリ10a、10bは、プロセス物質の質量流量及び密度に反応する。メータ電子機器100は、第1及び第2の一組のリード線11a、11bを介し
て第1及び第2のメータアセンブリ10a、10bに接続されて、密度と、質量流量と、温度情報とを、他の情報と共に経路26を経由して提供する。コリオリ式流量計構造体を記載しているが、振動式導管デンシトメータ、音叉式デンシトメータ、粘度計等として、本発明を実施できることは当業者には明らかである。
【００２３】
第１及び第２のメータアセンブリ10a、10bは、一対の平行導管13a、13a'及び13b、13b'と、第１及び第２の駆動機構18a、18bと、温度センサ19a、19bと、左右一対のピックオフセンサ17al、17ar及び17bl、17brとを備える。一対の導管13a、13a'及び13b、13b'の各々は、導管13a、13a'及び13b、13b'の長さに沿って2つの対称位置で湾曲し、かつそれらの
長さ全体にわたって本質的に平行である。導管13a、13a'及び13b、13b'は、駆動機構18a
、18bによってそれぞれの曲げ軸線を中心として反対方向に、また流量計の第1の位相外れ曲げモードと呼ばれるモードで駆動される。駆動機構18a、18bは、導管13a'、13b'への磁石の取付け、導管13a、13bへの対向コイルの取付けを行うこと、及び導管13a、13a'及び13b、13b'を両方とも振動させるためにそこに交流電流を流すなどの多くの構成のいずれか1つを備えていてもよい。メータ電子機器100によって、適切な駆動信号が駆動機構18a、18bに印加される。
【００２４】
第１及び第２の振動式センサ5a、5bを初期に較正することができ、ゼロオフセットΔT0と共に流量較正係数FCFを生成することができる。使用時には、ピックオフによって測定
される時間遅延ΔTからゼロオフセットΔT0を引いたものを流量較正係数FCFに乗算して、質量流量
【数１Ａ】
2020126078.tif 000003
を生成することができる。流量較正係数FCF及びゼロオフセットΔT0を利用する質量流量
の方程式の例を、方程式（1）によって記載する。
【数１】
2020126078.tif 000004
方程式中、
【数１Ｂ】
2020126078.tif 000005
=質量流量
FCF=流量較正係数
ΔTｍｅａｓｕｒｅｄ=測定される時間遅延
ΔT0=初期のゼロオフセット、となっている。
【００２５】
温度センサ19a、19bは導管13a'、13b'に取り付けられ、導管13a'、13b'の温度を連続的に測定する。導管13a'、13b'の温度、したがって所与の電流に対して温度センサ19a、19bに出現する電圧は、導管13a'、13b'を通過する物質の温度によって決定される。メータ電子機器100が温度センサ19a、19bに出現する温度依存電圧を使用して、導管温度の何らか
の変化による導管13a'、13b'の弾性率の変化を補償してもよい。図示の実施形態では、温度センサ19a、19bは測温抵抗体（RTD）である。本明細書に記載する実施形態ではRTDセンサを使用しているが、別の実施形態ではサーミスタ、熱電対などの他の温度センサを使用してもよい。
【００２６】
メータ電子機器100は第１及び第２の一組のリード線11a、11bを介して、左右の第1及び第2のピックオフセンサ17al、17ar及び17bl、17brからの左右センサ信号と、第１及び第
２の温度センサ19a、19bからの温度信号とを受信する。メータ電子機器100は駆動機構18a、18bに駆動信号を供給し、かつ第１及び第２の一対の導管13a、13a'及び13b、13b'を振
動させる。メータ電子機器100は左右のセンサ信号及び温度信号を処理して、第１及び/又は第２のメータアセンブリ10a、10bを通過する物質の質量流量及び密度を計算する。この情報は他の情報と共に、経路26を介して信号としてメータ電子機器100によって印加され
る。
【００２７】
ここで理解できるように、図１及び図２に示す二重の振動式センサシステム5は２つの
メータアセンブリ10a、10bのみを備えるが、３つ以上のメータアセンブリを備えるシステムで二重の振動式センサシステム5を使用してもよい。たとえば、メータ電子機器を、３
つ以上のメータアセンブリと通信するように構成してもよい。そのような構成では、二重の振動式センサシステム5はメータ電子機器の一部であってもよく、また３つ以上のメー
タアセンブリのうちの２つであってもよい。
【００２８】
メータ電子機器
図３は、メータ電子機器100のブロック図を示す。図３に示すように、メータ電子機器100は第１及び第２のメータアセンブリ10a、10bに通信可能に結合されている。図1を参照
しながら上述したように、第１及び第２のメータアセンブリ10a、10bは、左右の第１及び第２のピックオフセンサ17al、17ar及び17bl、17brと、駆動機構18a、18bと、温度センサ19a、19bとを備え、これらは第１及び第２の一組のリード線11a、11bを介し、第1及び第2の通信チャネル112a、112bと第１及び第２のI/Oポート160a、160bとを経由してメータ電
子機器100に通信可能に結合されている。
【００２９】
メータ電子機器100は、リード線11a、11bを介して第１及び第２の駆動信号14a、14bを
供給する。より具体的には、メータ電子機器100は、第１のメータアセンブリ10a内の第１の駆動機構18aに第1の駆動信号14aを供給する。メータ電子機器100はまた、第２のメータアセンブリ10b内の第２の駆動機構18bに第２の駆動信号14bを供給するように構成されて
いる。さらに、第１及び第２のセンサ信号12a、12bが第１及び第２のメータアセンブリ10a、10bによってそれぞれ供給される。より具体的には、図示の実施形態では、第1のセン
サ信号12aは第1のメータアセンブリ10a内の左右の第1のピックオフセンサ17al、17arによって供給される。第２のセンサ信号12bは、第２のメータアセンブリ10b内の左右の第２のピックオフセンサ17bl、17brによって供給される。ここで理解できるように、第１及び第２のセンサ信号12a、12bは、第１及び第２の通信チャネル112a、112bを介してメータ電子機器100にそれぞれ供給される。
【００３０】
メータ電子機器100は、１つ以上の信号プロセッサ120及び１つ以上のメモリ130に通信
可能に結合されたプロセッサ110を備える。プロセッサ110はまた、ユーザインタフェース30に通信可能に結合されている。プロセッサ110は、通信ポート140を介し、経路26を経由してホストと通信可能に結合され、かつ電力ポート150を介して電力を受け取る。プロセ
ッサ110はマイクロプロセッサであってもよいが、任意の適切なプロセッサを使用しても
よい。たとえば、プロセッサ110はマルチコアプロセッサ、シリアル通信ポート、周辺イ
ンタフェース（たとえば、シリアル周辺インタフェース）、オンチップメモリ、I/Oポー
トなどのサブプロセッサで構成されてもよい。これら及び他の実施形態では、プロセッサ110は、デジタル化信号などの受信及び処理された信号に対する動作を実行するように構
成されている。
【００３１】
プロセッサ110は、１つ以上の信号プロセッサ120からデジタル化センサ信号を受信してもよい。プロセッサ110はまた、第１又は第２のメータアセンブリ10a、10bなどにおける
流体の位相差や特性などの情報を提供するように構成されている。プロセッサ110は通信
ポート140を介してホストに情報を提供してもよい。プロセッサ110はまた、1つ以上のメ
モリ130と通信して、１つ以上のメモリ130内にある情報を受信及び／又は格納するように構成されてもよい。たとえば、プロセッサ110は、1つ以上のメモリ130から較正係数及び
／又はメータアセンブリのゼロ点（たとえば、ゼロ流動のときの位相差）を受信してもよい。較正係数及び／又はメータアセンブリのゼロ点の各々は、第１及び第２の振動式センサ5a、5b及び／又は第１及び第２のメータアセンブリ10a、10bにそれぞれ関連付けられてもよい。プロセッサ110は較正係数を使用して、１つ以上の信号プロセッサ120から受信したデジタル化センサ信号を処理してもよい。
【００３２】
１つ以上の信号プロセッサ120を、第１及び第２のエンコーダ／デコーダ（CODEC）122
、124とアナログ−デジタル変換器（ADC）126とで構成されたものとして示している。１
つ以上の信号プロセッサ120はアナログ信号を調整し、調整されたアナログ信号をデジタ
ル化し、かつ／もしくはデジタル化信号を供給してもよい。第1及び第2のCODEC122、124
は、左右の第1及び第2のピックオフセンサ17al、17ar及び17bl、17brから左右のセンサ信号を受信するように構成されている。第1及び第2のCODEC122、124はまた、第１及び第２
の駆動機構18a、18bに第１及び第２の駆動信号14a、14bを供給するように構成されている。別の実施形態では、より多くの、又はより少ない信号プロセッサを使用してもよい。たとえば、第１及び第２のセンサ信号12a、12bと第１及び第２の駆動信号14a、14bとに対して、単一のCODECを使用してもよい。更に又はこれに代えて、２つのADCが１つのADCの代
わりに用いられ得る。
【００３３】
図示の実施形態では、１つ以上のメモリ130は読み出し専用メモリ（ROM）132と、ラン
ダムアクセスメモリ（RAM）134と、強誘電体ランダムアクセスメモリ（FRAM(登録商標)）136とで構成されている。しかしながら、別の実施形態では、1つ以上のメモリ130はより
多くの、又はより少ないメモリで構成されてもよい。付加的に又は代替的に、1つ以上の
メモリ130は異なるタイプのメモリ（たとえば、揮発性、不揮発性など）で構成されても
よい。たとえば、FRAM(登録商標)136の代わりに一例として、消去可能プログラマブル読
み出し専用メモリ（EPROM）などの異なるタイプの不揮発性メモリを使用してもよい。
【００３４】
ここでも理解できるように、図３に示す二重の振動式センサシステム5は２つのメータ
アセンブリ10a、10bのみを備えているが、二重の振動式センサシステム5を３つ以上のメ
ータアセンブリを備えるシステムで使用してもよい。例えば、メータ電子機器を、３つ以上のメータアセンブリと通信するように構成してもよい。そのような構成では、二重の振動式センサシステム5はメータ電子機器の一部であってもよく、また３つ以上のメータア
センブリのうちの２つであってもよい。
【００３５】
従って、メータ電子機器100は、第１及び第２のセンサ信号12a、12bをアナログ信号か
らデジタル信号に変換するように構成される。メータ電子機器100はまた、デジタル化さ
れたセンサ信号を処理して、第１及び第２のメータアセンブリ10a、10b内の流体の特性を決定するように構成される。例えば、一実施形態にて、メータ電子機器100は、第１及び
第２のメータアセンブリ10a、10b内の左右のピックオフセンサ17a1,17a1及び17b1、17b1
の間の第１及び第２の位相差を夫々決定することができる。例示的な方法は、図４を参照して以下により詳細に説明される。
【００３６】
方法
図４は、２以上の振動式センサ用のメータ電子機器をを作動する方法400を示す。ステ
ップ410にて、方法400は、第1のセンサ信号を供給し、該第１のセンサ信号は第１のメー
タアセンブリによって付与される。ステップ420にて、第２のセンサ信号が供給され、該
第２のセンサ信号は第２のメータアセンブリによって付与される。第１及び第２のメータアセンブリは、図１-図３を参照して上記した第１及び第２のメータアセンブリ10a、10b
である。ステップ430にて、第１及び第２のセンサ信号はメータ電子機器で受信され、メ
ータ電子機器は図２及び図３を参照して上記したメータ電子機器100である。
【００３７】
第１及び第２のセンサ信号12a、12bは、メータ電子機器100内の1つまたは複数の信号プロセッサ120に供給される。例えば、第１及び第２のメータアセンブリ10a、10bは、第１
及び第２のセンサ信号12a、12bを第１及び第２のCODEC122,124に提供する。第１及び第２のセンサ信号12a、12bは、アナログ形式（例えば、連続的に変化する電圧および/または
電流）であるが、任意の適切な信号が供給され得る。
【００３８】
更なるステップが実行される。例えば、メータ電子機器100は、第１及び第２の駆動信
号14a、14bを第１及び第２のメータアセンブリ10a、10bに供給することができる。特に、プロセッサ110は、１つ以上の信号プロセッサ120に信号を供給する。プロセッサ110によ
って供給される信号は、第１及び第２のメータアセンブリ10a、10bに供給される駆動信号の1つまたは複数のパラメータ（例えば、振幅、周波数、位相角など）を制御することが
できる。１つまたは複数の信号プロセッサ120は、プロセッサ110によって供給される信号を受信し、プロセッサ110によって供給される信号に基づいて、第１及び第２の駆動信号14a、14bを供給することができる。
【００３９】
例えば、プロセッサ110は、第１及び第２のCODEC122,124に所望の第１及び第２の振幅
及び位相角を提供することができる。第１及び第２のCODEC122,124は、第１及び第２のセンサ信号12a、12bを受信し、デジタル化することができる。デジタル化された第１及び第２のセンサ信号12a、12bは、プロセッサ110によって供給される第１及び第２の所望の振
幅及び位相角と同じになるように夫々調整され得る。第１の振幅及び/又は位相角は、第
２の振幅及び/又は位相角とは異なっていてもよい。例えば、第１の駆動信号14aの振幅は、第２の駆動信号14bの振幅よりも小さくてもよい。
【００４０】
第１及び第２のセンサ信号12a、12bはまた、第１及び第２の振動センサ5a、5b内の流体の特性を決定するために処理される。例えば、メータ電子機器100は、第１のセンサ信号12aを受信し、第１のメータアセンブリ10a内の流体の特性及び/又は特性を決定することができる。一実施形態では、第１のセンサ信号12aは、第１のメータアセンブリ10a内の左右のピックオフセンサ17a1,17a1,17b1,17brによって供給される信号から構成される。従っ
て、メータ電子機器100は、左及び右のピックオフセンサ17a1,17a1及び17b1、17b1から受信した信号を比較して、第１のメータアセンブリ10a内の導管13a、13a'間の位相差を決定することができる。位相差は、第１のメータアセンブリ10a内の流体の特性（例えば、密
度、温度、状態など）及び/又は特徴（例えば、流量、位相比、気泡サイズなど）を決定
するために使用され得る。第２のメータアセンブリ10b内の流体の特性及び/又は特徴も同様に決定されてもよい。
【００４１】
例示的な実施形態において、流体の特徴は第１のメータアセンブリ10aを通る流体の流
量である。流量は、位相差又は時間遅延に較正係数（例えば、流量較正係数（FCF））を
乗算することによって、上記のように与えられた位相差又は時間遅延から決定することができる。メータのゼロは、較正係数と乗算される前に、位相差又は時間遅延から減算されてもよい。較正係数は、各第１及び第２の振動式センサ5a、5b及び/又は第１及び第２の
メータアセンブリ10a、10bに関連する。従って、流量は、各第１及び第２のメータアセンブリ10a、10bの流体について計算され得る。
【００４２】
一定の期間に亘る全質量流量も計算され得る。例えば、各第１及び第２のメータアセンブリ10a、10bの一定期間に亘る全質量流量は、その期間に亘る質量流量を積分することによって計算され得る。第１のメータアセンブリ10aの全質量流量は、第２のメータアッセ
ンブリ10bの全質量流量と異なっていてもよい。例えば、第１のメータアセンブリ10aは、液体天然ガスをLNGディスペンサに供給する供給ラインの一部であってもよい。第２のメ
ータアセンブリ10bは、ガス状の天然ガスをLNGディスペンサーから除去する戻りラインの一部であってもよい。従って、LNGが分配されるので、第１のメータアセンブリ10aを通る総質量流量は、第２のメータアセンブリ10bを通る全質量流量とは異なる。
【００４３】
動作において、メータ電子機器100は、第１及び第２のセンサ信号12a、12bを受信する
。第１及び第２のセンサ信号12a、12bは、第１及び第２のメータアセンブリ10a、10b内の左右のピックオフセンサ17a1,17a1及び17b1、17b1によって提供される信号を含む。左右
のピックオフセンサ17a1,17a1,17b1,17b1からの信号を用いて、第１及び第２のセンサ信
号12a、12bの位相差を算出することができる。位相差を使用して、メータ電子機器100は
、例えば、第１及び第２のメータアセンブリ10a、10bの夫々を通る質量流量を計算することができる。
【００４４】
上記したように、メータ電子機器100は、第１及び第２のメータアセンブリ10a、10b、10aの夫々を通る総質量流量を計算することができる。メータ電子機器はまた、例えば、分配された流体の総質量を決定するために、第１及び第２のメータアセンブリ10a、10bを通る全質量流量を比較することもできる。例えば、第１のメータアセンブリ10aがLNGディスペンサへの供給ラインの一部であり、第２のメータアセンブリ10bが戻りラインの一部で
ある前述の例では、分配されたLNGの総量は、第１のメータアセンブリ10aを通る全質量流量から第２のメータアセンブリ10bを通る全質量流量を差し引くことによって計算され得
る。従って、LNGディスペンサによって分配される総質量が決定され得る。
【００４５】
上記の実施形態は、２以上のメータアセンブリ用のメータ電子機器を付与する。例えば、メータ電子機器100は、第１及び第２のメータアセンブリ10a、10bに通信可能に結合さ
れる。メータ電子機器100は、第１及び第２のメータアセンブリ10a、10bを通って流れる
流体の特性及び/又は特徴を制御および決定することができる。２つのメータアセンブリ
を通る流体の特性及び/又は特徴を制御及び決定するために１つのメータ電子機器が使用
されるので、２つ以上のメータアセンブリの各々にメータ電子機器を使用することに関連するコストを回避することができる。
【００４６】
上記の実施形態の詳細な説明は、本出願の範囲内にあるべき、本発明者らによって企図されているすべての実施形態の包括的な説明ではない。事実、当業者であれば、上述した実施形態の特定の要素は、さらなる実施形態を作成するために様々に組み合わせ、又は、なくすことができ、そのようなさらなる実施形態が本出願の範囲及び教示の中に入ることは認識されよう。上述した実施形態は、本発明の範囲及び教示内の追加の実施形態を作成するために全体的に又は部分的に組み合わせることができることも、当業者には諒解されよう。
このように、特定の実施形態が説明の目的で記載されているが、関連技術の熟練者が認識するように、種々の均等な修正が本記載の範囲内で可能である。ここに付与された開示は２つ以上のメータアセンブリ用の他のメータ電子機器に適用され得て、上記の記載及び添付の図面に示す実施形態に適用されるのではない。従って、本発明の範囲は、添付の特許請求の範囲から決定されるべきである。
【図１】
2020126078.tif 000006
【図２】
2020126078.tif 000007
【図３】
2020126078.tif 000008
【図４】
2020126078.tif 000009
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
２つ以上のメータアセンブリ(10a、10b)用のメータ電子機器(100)であって、
プロセッサ(110)と、
該プロセッサ(110)に通信可能に連結され、第１のメータアセンブリ(10a) から第１のセンサ信号(12a)を受信し、第２のメータアセンブリ(10b)から第２のセンサ信号(12b)を受信するように構成された１つ以上の信号プロセッサ(120)と、
第１のメータアセンブリ(10a)に関連する第１の較正係数および第２のメータアセンブリ(10b)に関連する第２の較正係数を記憶したメモリ(130)を備え、
前記プロセッサ(110)は第１の較正係数を用いて第１のセンサ信号(12a)を処理し、第２の較正係数を用いて第２のセンサ信号(12b)を処理する、メータ電子機器(100)。
【請求項２】
前記１つ以上の信号プロセッサ(120)は更に、第１のセンサ信号(12a)及び第２のセンサ信号(12b)をデジタル化するように構成された、請求項１に記載のメータ電子機器(100)。
【請求項３】
前記１つ以上の信号プロセッサ(120)は更に、第１のメータアセンブリ(10a)に第１の駆動信号(14a)を供給し、第２のメータアセンブリ(10b)に第２の駆動信号(14b)を供給するように構成された、請求項１又は２に記載のメータ電子機器(100)。
【請求項４】
更に、前記プロセッサ(110)に通信可能に連結された通信ポート(140)を備え、該通信ポート(140)はホストと通信可能に連結された、請求項１乃至３の何れかに記載のメータ電子機器(100)。
【請求項５】
前記１つ以上の信号プロセッサ(120)は、第１の通信チャネル(112a)を介して第１のセンサ信号(12a)を受信し、第２の通信チャネル(112b)を介して第２のセンサ信号(12b)を受信するように構成された、請求項１に記載のメータ電子機器(100)。
【請求項６】
第１のセンサ信号(12a)は、第１のメータアセンブリ(10a)内の左ピックオフセンサ(17al、17bl)及び右ピックオフセンサ(17ar、17br)からの信号から構成され、第２のセンサ信号(12b)は、第２のメータアセンブリ(10b)内の左ピックオフセンサ(17al、17bl)及び右ピックオフセンサ(17ar、17br)からの信号から構成される、請求項１又は５に記載のメータ電子機器(100)。
【請求項７】
更に、前記プロセッサ(110)に通信可能に連結された少なくとも１つのメモリ(130)を備えた、請求項１乃至６の何れかに記載のメータ電子機器(100)。
【請求項８】
２つ以上のメータアセンブリを作動する方法であって、
第１のメータアセンブリによって供給される第１のセンサ信号を供給するステップと、
第２のメータアセンブリによって供給される第２のセンサ信号を供給するステップと、
メータ電子機器で第１のセンサ信号と第２のセンサ信号を受信するステップを備え、
該メータ電子機器は、第１のメータアセンブリに関連する第１の較正係数および第２のメータアセンブリに関連する第２の較正係数を記憶したメモリを備え、
該メータ電子機器は、第１の較正係数を用いて第１のセンサ信号(12a)を処理し、第２の較正係数を用いて第２のセンサ信号(12b)を処理するように構成された、方法。
【請求項９】
更に、第１の駆動信号を第１のメータアセンブリに供給するステップと、
第２の駆動信号を第２のメータアセンブリに供給するステップとを備え、
第１の駆動信号と第２の駆動信号はメータ電子機器によって供給される、請求項８に記載の方法。
【請求項１０】
更に、少なくとも１つの信号プロセッサで、第１のセンサ信号及び第２のセンサ信号をデジタル化するステップを備える、請求項８又は９に記載の方法。
【請求項１１】
第１のセンサ信号は第１の通信チャネルを介してメータ電子機器に供給され、第２のセンサ信号は第２の通信チャネルを介してメータ電子機器に供給される、請求項８乃至１０の何れかに記載の方法。
【請求項１２】
第１のセンサ信号は、第１のメータアセンブリ内の左ピックオフセンサ及び右ピックオフセンサからの信号から構成され、第２のセンサ信号は、第２のメータアセンブリ内の左ピックオフセンサ及び右ピックオフセンサからの信号から構成される、請求項８乃至１１の何れかに記載の方法。
【請求項１３】
２つ以上のメータアセンブリ用のメータ電子機器(100)を備えたシステム(5)であって、
第１のセンサ信号(12a)を付与するように構成された第１のメータアセンブリ(10a)と、
第２のセンサ信号(12b)を付与するように構成された第２のメータアセンブリ(10b)と、
前記第１のメータアセンブリ(10a)と第２のメータアセンブリ(10b)とに通信可能に結合されたメータ電子機器(100)を備え、
該メータ電子機器(100)は、第１のメータアセンブリ(10a)に関連する第１の較正係数および第２のメータアセンブリ(10b)に関連する第２の較正係数を記憶したメモリ(130)を備え、
該メータ電子機器は、第１の較正係数を用いて第１のセンサ信号(12a)を処理し、第２の較正係数を用いて第２のセンサ信号(12b)を処理するように構成された、システム(5)。
【請求項１４】
前記第１のメータアセンブリ(10a)は、供給ライン(SL)内の流体の特性及び特徴の１つを測定するように構成され、前記第２のメータアセンブリ(10b)は、戻りライン(RL)内の流体の特性及び特徴の１つを測定するように構成された、請求項１３に記載のシステム(5)。
【外国語明細書】
2020126078000001.pdf